(57)【要約】【課題】  支持装置とフロアーパネルとの固定を強固に行なうことができるフロアーパネルの支持装置を提供すること。【解決手段】  少なくとも底床上に立設される、支持棒を有する支持柱と、この支持柱の先端に接続される基台とを具備することにより構成されるフロアーパネルの支持装置において、基台に切り欠き部が設けられたボルト挿通孔を形成し、また、基台の下側の支持棒に支持部材を設ける。【選択図】図２
2007177509.tif 000002
【特許請求の範囲】
【請求項１】
支持棒を有する支持柱と、該支持柱の先端に接続される基台とを具備することにより構成されるフロアーパネルの支持装置において、前記基台にはボルト挿通孔が設けられており、該ボルト挿通孔の周縁部に切り欠き部を設け、また、前記基台の下側の前記支持棒には、支持部材を設けたことを特徴とするフロアーパネルの支持装置。
【請求項２】
前記切り欠き部は、前記ボルト挿通孔の対角線の交差点を中心として対称な位置の２箇所に形成されることを特徴とする請求項１に記載のフロアーパネルの支持装置。
【請求項３】
前記フロアーパネルと前記ボルト挿通孔とに同時に挿通され、少なくともボルトヘッドと、軸部とを有するボルトを有し、該ボルトの前記軸部には、前記切り欠き部に対応する形状であるフランジ部が形成されていることを特徴とする請求項１又は請求項２に記載のフロアーパネルの支持装置。
【請求項４】
前記ボルトには、無電解ニッケルめっきテフロン（登録商標）加工が施されていることを特徴とする請求項３に記載のフロアーパネルの支持装置。
【請求項５】
前記支持部材にはボルト孔及び挿通孔が設けられており、また、その下側にはカバーが被せられていることを特徴とする請求項１ないし請求項４のいずれかに記載のフロアーパネルの支持装置。
【請求項６】
前記カバーは、ボルト孔に対応する位置の下側に屈曲した段部を形成し、ほぼ三角形状に形成されたナット収納部を設けていることを特徴とする請求項５に記載のフロアーパネルの支持装置。
【発明の詳細な説明】
【技術分野】
【０００１】
本発明は、二重床を構築する際に使用されるフロアーパネルを支持する支持装置に関する。
【背景技術】
【０００２】
大型コンピュータを設置する部屋や、相互に電線で接続される電子機器が多数配置される部屋などでは、装置相互間の配線が複雑となり、床に多数の電線を這わせる必要がある。このような配線は、歩行者の歩行の邪魔となったり、見栄えが悪いなどの問題があることから、床上にフロアーパネルを敷き詰めて二重床とし、底床と上げ床との間に配線を這わせるなどの構造上の工夫がなされている。
【０００３】
また、クリーンルームについては、室内の空気を吸い込むための吸入孔を多数設けたフロアーパネルを上げ床として使用して、二重床構造としている。
【０００４】
このような二重床構造とする際に、フロアーパネルを支持するものとして、例えば特許文献１に示すような支柱の構造を有するフロアーパネルの支持装置が知られている。
【０００５】
以上のように、フロアーパネルを敷き詰めて二重床とするには、底床の上にフロアーパネルを支持する支持装置を多数立設し、その支持装置の上にフロアーパネルを配置する。作業効率やコスト効率を考慮すると、支持装置の数は少ないことが好ましく、このような観点から、正方形のフロアーパネルの角部が突き合わされる位置、つまりフロアーパネルの四隅に支持装置が配置されている。
【０００６】
このようなフロアーパネルの支持構造においては、上げ床の上に配置された機器には、振動や揺れを嫌う性質のものが多く、また地震が発生して大きな振動が加わった場合、フロアーパネルが支持柱から外れて、床が抜けてしまうなどの問題もあり、フロアーパネルの固定をより強固に行なうことが要求されている。
【特許文献１】特開平０６−０９３７０３号公報
【発明の開示】
【発明が解決しようとする課題】
【０００７】
本発明は上述したような実情に鑑みてなされたもので、その目的とするところは、支持装置とフロアーパネルとの固定を強固に行なうことができるフロアーパネルの支持装置を提供することにある。
【課題を解決するための手段】
【０００８】
本発明の上記目的は、支持棒を有する支持柱と、該支持柱の先端に接続される基台とを具備することにより構成されるフロアーパネルの支持装置において、前記基台にはボルト挿通孔が設けられており、該ボルト挿通孔の周縁部に切り欠き部を設け、また、前記基台の下側の前記支持棒には、支持部材を設けたことを特徴とするフロアーパネルの支持装置を提供することによって達成される。
【０００９】
また、本発明の上記目的は、前記切り欠き部は、前記ボルト挿通孔の対角線の交差点を中心として対称な位置の２箇所に形成されることを特徴とするフロアーパネルの支持装置を提供することによって、効果的に達成される。
【００１０】
また、本発明の上記目的は、前記フロアーパネルと前記ボルト挿通孔とに同時に挿通され、少なくともボルトヘッドと、軸部とを有するボルトを有し、該ボルトの前記軸部には、前記切り欠き部に対応する形状であるフランジ部が形成されていることを特徴とするフロアーパネルの支持装置を提供することによって、より効果的に達成される。
【００１１】
また、本発明の上記目的は、前記ボルトには、無電解ニッケルめっきテフロン（登録商標）加工が施されていることを特徴とするフロアーパネルの支持装置を提供することによって、より効果的に達成される。
【００１２】
また、本発明の上記目的は、前記支持部材にはボルト孔及び挿通孔が設けられており、また、その下側にはカバーが被せられていることを特徴とするフロアーパネルの支持装置を提供することによって、より効果的に達成される。
【００１３】
さらにまた、本発明の上記目的は、前記カバーは、ボルト孔に対応する位置の下側に屈曲した段部を形成し、ほぼ三角形状に形成されたナット収納部を設けていることを特徴とするフロアーパネルの支持装置を提供することによって、より効果的に達成される。
【発明の効果】
【００１４】
本発明に係るフロアーパネルの支持装置によれば、ボルト挿通孔の周縁部に切り欠き部を設け、基台の下側の支持棒に支持部材を設けたので、支持装置にフロアーパネルをより強固に固定することができるようになる。
【００１５】
なお、ボルトとして、無電解ニッケルめっきテフロン（登録商標）加工が施されたものを用いたときは、ボルトの滑りを良好なものとすることができ、加えて、長期間使用されたままの状態であっても、金属同士がくっついて固まってしまい、外れなくなるという問題もなくなる。
【発明を実施するための最良の形態】
【００１６】
以下、本発明に係るフロアーパネルの支持装置について、図面を参照しながら詳細に説明する。なお、本発明に係るフロアーパネルは以下の実施形態に限定されるものではなく、特許請求の範囲を逸脱しない範囲において適宜設計変更することができることはいうまでもない。
【００１７】
図１は、本発明に係るフロアーパネルの支持装置（以下、「本支持装置」と言う。）１の使用状態を示す側面断面図である。
【００１８】
図示するように、本支持装置１は、底床上に立設される支持柱２と、この支持柱２の先端に接続された基台３とを少なくとも具備することにより構成されている。
【００１９】
支持柱２は、底床上に固定される板状の台座と、この台座の中央部に立設固定された管状の本体部と、この本体部の先端に挿入された支持棒４とを備えて構成されている。また、支持棒４の外周には、ねじ山が形成され、本体部の先端には、ナットが溶接等によって固定されており、これにより、支持棒４はナットに螺合し、支持棒４を回転させることによって、支持柱２の全長を調節できるように構成されている。このように支持柱２の長さを調節可能としたので、例えばビル等の建築物のように、凹凸部や傾斜部等が存在している土間であっても、フロアーパネルの上面を均一な平面に形成することができる。
【００２０】
基台３は、図２に上面図で、図３に側面断面図で示すように、支持棒４が挿入される筒状の接合部５と、接合部５の上端部に設けられているほぼ正方形の板状の台６と、台６の対角線上において、対角線の交差点を中心として対称な位置に（各角部に）、台６の下面側へ貫通するように設けられた４つのボルト挿通孔７とを備えている。接合部５の側面には、固定用ボルト８が螺入されており、この固定用ボルト８の先端は、接合部５内に挿入される支持棒４の側面に当接するように構成され、これにより基台３を支持棒４に固定することができる。また、図示するように、本基台３は、このボルト挿通孔７の周縁部で、かつボルト挿通孔７の対角線の交差点を中心として対称な位置の２箇所に切り欠き部９を設けることによって嵌入部１０が形成されている。
【００２１】
なお、このような基台３は軽量化を図るため、例えばダイカストにより製造されたもの、より好ましくはアルミダイカストにより製造されたものが良い。
【００２２】
本支持装置１とフロアーパネル１１とを連結する部材であるボルト１２は、先端にねじ部を有する軸部１３と、この軸部１３の基端に設けられた円盤状のボルトヘッド１４とを少なくとも具備することにより構成されている。また、図示するように、ボルトヘッド１４を薄板状に形成すると、フロアーパネル１１に形成されるボルト孔１５の周囲を厚くする必要がなくなり、フロアーパネル１１の軽量化を図ることができるという利点がある。
【００２３】
ボルト１２は、その軸部１３の周りにスプリング１６が配設されており、また、軸部１３にはボルト挿通孔７に形成された切り欠き部９に対応する形状を有するフランジ部１７が形成されている。なお、このフランジ部１７の側面断面形状は特に限定されるものではなく、図示するような形状のほか、頂点が下側となった三角形状等、公知の種々の形状とすることができる。
【００２４】
なお、本支持装置１に用いられるボルト１２は、無電解ニッケルめっきテフロン（登録商標）加工が施されたものが好ましく、これによりボルト１２の滑りが良好となると共に、ボルト１２を螺入すると、その後時間が経過するにつれて金属同士がくっついてそのまま固まってしまい、外し難くなるという問題がなくなる。従って、例えば上げ床として使用されているフロアーパネル１１を、本支持装置１から外さなければならないときに、簡単に外すことができるようになるという利点がある。なお、ボルト１２の形成材料としては公知の種々の材料を用いることができるが、特にステンレスで形成されたものを用いることが好ましい。
【００２５】
また、図１に示すように、本支持装置１は、基台３の下側の支持棒４に支持部材１８を設けた構成としている。すなわち、本支持装置１は、基台３の下側に支持棒４に螺合する支持ナット１９が配置され、この支持ナット１９の下側に支持部材１８が配置され、さらにこの支持部材１８の下側には、支持棒４に螺合する固定ナット２０が配置されている。すなわち、本支持装置１は、支持ナット１９と固定ナット２０とによって支持部材１８を挟持固定する構成である。従って、本支持装置１とフロアーパネル１１との固定強度を一層向上させることができる。なお、本支持装置１は、基台３と支持部材１８とを一体成形してもよく、このように構成しても同様の効果を得ることができる。
【００２６】
この支持部材１８は、図４に上面図で示すように、前述した基台３の台６に形成された４つのボルト挿通孔７と同じ位置に、すなわち支持部材１８の四隅に、連結部材であるボルト１２が挿通されるボルト孔２１が形成されている。また、この支持部材１８の中央部には、支持棒４が挿通される挿通孔２２が形成されている。なお、支持部材１８は、ほぼ正方形の平面形状を有する板材に限らず、基台３の台６に形成された４つのボルト挿通孔７と同じ位置にボルト孔２１を形成することができれば、この他円状や、星型等の公知の種々の平面形状とすることができる。また、支持部材１８は、公知の種々の材料で形成されたものを用いることができるが、これらの中でも、鉄鋼などの剛性の高い材料で形成されたものが用いられると、ボルト１２をより強固に締め付けることができるので、本支持装置１にフロアーパネル１１をより強固に固定することができるので好ましい。
【００２７】
図５に図４のＡ−Ａ断面図で、図６に図４のＢ−Ｂ断面図で示すように、支持部材１８の下側にはカバー２３が被せられており溶接等により固定されている。カバー２３は、支持部材１８のボルト孔２１に対応する位置の下側に、すなわちカバー２３の四隅の位置の下側に、屈曲した段部２４が形成されている。このカバー２３を支持部材１８の下側に設けることによって、ほぼ三角形状に形成されたナット収納部２５が形成され、このナット収納部２５内に、ナット２６が所定範囲で、すなわちナット孔２７がボルト孔２１の縁からはみ出さない範囲で移動可能に収納されている。また、ナット２６は、軸部２８と、軸部２８の基端に設けられ、ナット収納部２５と同様の平面視でほぼ三角形状である薄板状のナットヘッド２９とを具備して構成されている。このようにナット収納部２５及びナット２６は、その平面形状が共にほぼ三角形状で構成されているので、ナット２６は、ナット収納部２５内で回動不能となり、連結部材であるボルト１２に対してナット２６を螺合することが可能となり、また螺合強度を向上させることができる。
【００２８】
なお、カバー２３の形成材料としては、公知の種々のものを用いることができるが、特にスチールが用いられると、カバー２３の強度が向上する、カバー２３を形成し易くなる、カバー２３の製造コストが低減する等の利点があるので好ましい。
【００２９】
次に、本支持装置１とフロアーパネル１１との連結方法について説明する。
【００３０】
図２に示すように、本支持装置１は、基台３の台６の四隅に設けられた４つのボルト挿通孔７のそれぞれが、４枚のフロアーパネル１１の角部に形成されたボルト孔１５の位置と一致するように、すなわち連結部材であるボルト１２が、フロアーパネル１１の上面からボルト孔１５を貫通し、ボルト挿通孔７を貫通して挿入することができるように配設される。次にボルト１２を挿入するが、この時、ボルト１２の軸部１３に形成されたフランジ部１７がボルト挿通孔７に形成された切り欠き部９を通過するようにして、ボルト１２、及び軸部１３の周りに配設されたスプリング１６を、ボルト孔１５及びボルト挿通孔７に挿入して押し込み、その後、ボルト１２に形成されたフランジ部１７の上面が、基台３の台６の裏面に当接するようにドライバー等により所定角度回転させて、本支持装置１とフロアーパネル１１とを係合して連結する。なお、本支持装置１においては、ボルト１２を約９０°回転させることが好ましいが、軸部１３に形成されたフランジ部１７の上面が、基台３の台６の裏面に当接するようにすれば、例えば４５°回転させる等、９０°回転させなくても良い。これにより、例えば地震発生時における振動等により、ボルト１２が緩み、ボルト挿通孔７から外れてしまうことを防止することができるので、本支持装置１とフロアーパネル１１との固定強度を一層向上させることができる。さらにまた、ボルト１２の軸部１３の周りに配設されたスプリング１６によって、フロアーパネル１１と本支持装置１２が圧接状に係合するのでガタが生じ難くなるという利点がある。
【００３１】
なお、上述したように１つの本支持装置１で４枚のフロアーパネル１１を固定する構成に限らず、この他、対角線方向に対向する一対のフロアーパネル１１を固定する構成等としても良い。
【００３２】
また、図７に示すように、隣接する支持柱２の各支持装置１の上に、端辺支持梁３０が架設されている。この端辺支持梁３０は、各支持装置１に対して接着剤によって接着固定されており、また、端辺支持梁３０の中央部には、当接支持部材３１が固定されている。この当接支持部材３１は、上面がフロアーパネル１１の端辺の下側に当接し、フロアーパネル１１をより安定的に支持するものである。この当接支持部材３１を用いることによって、フロアーパネル１１は、四隅と、４辺中央部の８点で支持されることとなり、より安定的に支持されることとなる。このようにフロアーパネル１１を支持する点を増やすことによって、フロアーパネル１１の撓みを抑制するとともに、振動や横揺れ等に対する強度が向上する。
【００３３】
さらに、図７に示す構成に加え、図８に示すように、支持柱２の間に二股の支持脚３２を設けた構成としてもよい。支持脚３２は二股に別れているため、支持柱２が、例えばＨ鋼（梁）（図示しない）上に配置されているような場合でも、多数立設されている支持柱２の間に配置することが可能となる。また、支持脚３２の頂点部には、当接支持部材３１を載置することができる。従って、図９に上面図で示すように、この当接支持部材３１が載置された支持脚２２をフロアーパネル１１の中央部に下側から当接するように設けて、フロアーパネル１１を９点で支持する構成とすることもでき、このような構成によって、フロアーパネル１１の撓みをより抑制することができるともに、振動や横揺れ等に対する強度をより向上させることができる。
【００３４】
なお、図１０に上面図で示すように、フロアーパネル１１の中央部に当接支持部材３１が載置された支持脚３２のみを設け、フロアーパネル１１を５点で支持するような構成とすることもでき、このような構成によっても上述したような効果を得ることができる。
【００３５】
また、図１１に上面図で示すように、支持柱２間に架設された端辺支持梁３０を、対向する辺にそれぞれ設け、その間に、さらに中央支持梁３３を架設し、そしてこの中央支持梁３３の中央に当接支持部材３１が載置するような構成とし、フロアーパネル１１を四隅と中央の５点で支持するような構成としても良い。
【図面の簡単な説明】
【００３６】
【図１】本発明に係るフロアーパネルの支持装置の使用状態における側面断面図である。
【図２】本発明に係るフロアーパネルの支持装置の上面図である。
【図３】本発明に係る支持装置の側面断面図である。
【図４】支持部材の上面図である。
【図５】図４のＡ−Ａ断面図である。
【図６】図４のＢ−Ｂ断面図である。
【図７】端辺支持梁を設けて８点でフロアーパネルを支持する状態を示す上面図である。
【図８】支持脚の構成を示す側面断面図である。
【図９】支持脚を設けて９点でフロアーパネルを支持する状態を示す上面図である。
【図１０】支持脚を設けて５点でフロアーパネルを支持する状態を示す上面図である。
【図１１】中央支持梁を設けた構成を示す上面図である。
【符号の説明】
【００３７】
１            本支持装置
２            支持柱
３            基台
４            支持棒
５            接合部
６            台
７            ボルト挿通孔
８            固定用ボルト
９            切り欠き部
１０          嵌入部
１１          フロアーパネル
１２          ボルト
１３          ボルトの軸部
１４          ボルトヘッド
１５          （フロアーパネルに形成された）ボルト孔
１６          スプリング
１７          フランジ部
１８          支持部材
１９          支持ナット
２０          固定ナット
２１          （支持部材に形成された）ボルト孔
２２          挿通孔
２３          カバー
２４          段部
２５          ナット収納部
２６          ナット
２７          ナット孔
２８          軸部
２９          ナットヘッド
３０          端辺支持梁
３１          当接支持部材
３２          支持脚
３３          中央支持梁
【図１】
2007177509.tif 000003
【図２】
2007177509.tif 000004
【図３】
2007177509.tif 000005
【図４】
2007177509.tif 000006
【図５】
2007177509.tif 000007
【図６】
2007177509.tif 000008
【図７】
2007177509.tif 000009
【図８】
2007177509.tif 000010
【図９】
2007177509.tif 000011
【図１０】
2007177509.tif 000012
【図１１】
2007177509.tif 000013